(57)【要約】      （修正有）【課題】レンズブロックを収容する金属製のハウジングからレンズブロックが離脱することを防止できる光アセンブリ及び光モジュールを提供する。【解決手段】波長多重化された信号光を複数の分波信号光に分波する分波器７０と、複数の分波信号光を電気信号に変換するＰＤと、複数の分波信号光をＰＤに集光するレンズブロック７９と、分波器７０及びレンズブロック７９を収容する収容空間４０ａが形成されたハウジング４０と、ハウジング４０に保持され、レンズブロック７９を支持する支持部材４２とを備えたＲＯＳＡにおいて、レンズブロック７９は、ハウジング４０よりも熱膨張率が高く、支持部材４２は、ハウジング４０に保持される被保持部と、レンズブロック７９を支持する支持部とを有し、支持部は、レンズブロック７９及びハウジング４０の温度変化に伴って変形可能な弾性を有する。【選択図】図６
2016099379.tif 000002
【特許請求の範囲】
【請求項１】
波長多重化された信号光を複数の分波信号光に分波する分波器と、
前記複数の分波信号光を受光し、電気信号に変換して出力する光電変換素子と、
前記複数の分波信号光を前記光電変換素子に集光する複数の集光レンズ部を有するレンズブロックと、
前記分波器及び前記レンズブロックを収容する収容空間が形成されたハウジングと、
前記ハウジングに保持され、前記レンズブロックを支持する支持部材とを備え、
前記レンズブロックは、前記ハウジングよりも熱膨張率が高く、
前記支持部材は、前記ハウジングに保持される被保持部と、前記レンズブロックを支持する支持部とを有し、
前記支持部は、前記レンズブロック及び前記ハウジングの温度変化に伴って変形可能な弾性を有する
光アセンブリ。
【請求項２】
前記支持部材は、前記支持部が前記レンズブロックを挟む一対の腕部によって構成され、前記被保持部が前記一対の腕部をそれぞれの基端部側で連結する胴部を含む、
請求項１に記載の光アセンブリ。
【請求項３】
前記支持部材は、前記被保持部が前記ハウジングの内面に接触して前記ハウジングに保持された、
請求項２に記載の光アセンブリ。
【請求項４】
前記ハウジングには、前記支持部材の前記被保持部を前記収容空間内に保持するための保持部材が取り付けられ、
前記支持部材の前記被保持部は、前記保持部材によって前記ハウジングの内面に複数箇所で押し付けられている、
請求項３に記載の光アセンブリ。
【請求項５】
前記支持部材の前記被保持部は、前記一対の腕部の前記基端部側の一部を含み、前記胴部及び前記一対の腕部の前記基端部側の一部が、前記保持部材によって前記ハウジングの内面に押し付けられている、
請求項４に記載の光アセンブリ。
【請求項６】
前記レンズブロックは、位置合わせ後に前記支持部材の前記支持部に接着によって固定された、
請求項１乃至５の何れか１項に記載の光アセンブリ。
【請求項７】
前記分波器は、透光性を有する直方体状のベース部材と、前記ベース部材の一側面に配置された複数の分波フィルタとを有し、
前記ベース部材が前記ハウジングに固定された、
請求項１乃至６の何れか１項に記載の光アセンブリ。
【請求項８】
前記ベース部材は、直交する２つの面の間の角部に切り欠きが形成され、前記直交する２つの面が前記ハウジングの内面に面接触して位置決めされた、
請求項７に記載の光アセンブリ。
【請求項９】
前記ベース部材は、前記ハウジングの内面との間に配置された円柱状部材に接触して位置決めされ、
前記円柱状部材は、その軸方向の一端部における端面と周面とが前記ハウジングの内面に接触し、前記端面の周縁が切り欠かれている、
請求項７又は８に記載の光アセンブリ。
【請求項１０】
請求項１乃至９の何れか１項に記載された光アセンブリと、
前記光アセンブリと電気的に接続される回路基板とを備えた
光モジュール。
【発明の詳細な説明】
【技術分野】
【０００１】
本発明は、光電変換素子が実装された基板を有する光アセンブリ、及び光アセンブリを備えた光モジュールに関する。
【背景技術】
【０００２】
従来、波長の異なる光が重畳された光信号を分波し、分波した光信号をそれぞれ電気信号に変換して出力する光モジュールが知られている（例えば、特許文献１参照）。
【０００３】
特許文献１に記載の光モジュール（光受信モジュール）は、光トランシーバのＲＯＳＡ（Receiving Optical Sub Assembly）として用いられ、光分波器と、光分波器で分波された分波信号光を反射する反射器と、反射器で反射された光を集光するレンズブロックと、レンズブロックによって集光された光を受光する受光素子と、受光素子からの出力信号を増幅するプリアンプ回路とを有している。
【０００４】
これらの光分波器、反射器、レンズブロック、受光素子、及びプリアンプ回路は、パッケージ筐体、パッケージ底壁、及びパッケージ蓋体からなる収容部に収容されている。これらのパッケージ筐体、パッケージ底壁、及びパッケージ蓋体は、放熱性に優れた金属からなる。また、光分波器及び反射器は、支持ポストによってパッケージ底壁から離間して配置された支持基板に接着剤によって固定されている。
【先行技術文献】
【特許文献】
【０００５】
【特許文献１】特開２０１３−１２５０４５号公報
【発明の概要】
【発明が解決しようとする課題】
【０００６】
近年、通信機器の高性能化に伴う高密度実装化により、光モジュールのさらなる小型化及び通信速度の向上が求められている。具体的には、例えば４０〜１００ＧｂＥ接続に対応する光ファイバのトランシーバ規格である「ＱＳＦＰ＋（Quad Small Form-factor Pluggable Plus）」に対応した小型の光トランシーバが求められており、特にＷＤＭ（Wavelength Division Multiplexing：波長分割多重）用の小型光トランシーバが求められている。
【０００７】
特許文献１に記載の光モジュールにおいて小型化を行うためには、支持ポストや支持基板を廃止して、金属製のハウジングに光分波器や反射器、及びレンズブロックを接着によって直接取り付けることが考えられる。しかし、レンズブロックは、レンズ部の成形の容易性から樹脂によって形成されるため、ハウジングとの熱膨張率の違いが問題となる。
【０００８】
つまり、ハウジングとレンズブロックとの熱膨張率の違いにより、温度上昇時又は下降時に接着面が剥離し、レンズブロックがハウジングから離脱してしまうおそれがある。特に、高速通信を行う光モジュールでは、受光素子や増幅回路での発熱量が大きくなるため、温度上昇時における対策を十分に行う必要がある。
【０００９】
そこで、本発明は、レンズブロックを収容する金属製のハウジングからレンズブロックが離脱してしまうことを防止することが可能な光アセンブリ及び光モジュールを提供することを目的とする。
【課題を解決するための手段】
【００１０】
本発明は、上記課題を解決することを目的として、波長多重化された信号光を複数の分波信号光に分波する分波器と、複数の分波信号光を受光し、電気信号に変換して出力する光電変換素子と、複数の分波信号光を光電変換素子に集光する複数の集光レンズ部を有するレンズブロックと、分波器及びレンズブロックを収容する収容空間が形成されたハウジングと、ハウジングに保持され、レンズブロックを支持する支持部材とを備え、レンズブロックは、ハウジングよりも熱膨張率が高く、支持部材は、ハウジングに保持される被保持部と、レンズブロックを支持する支持部とを有し、支持部は、レンズブロック及びハウジングの温度変化に伴って変形可能な弾性を有する光アセンブリを提供する。
【００１１】
また、本発明は、上記課題を解決することを目的として、光アセンブリと、光アセンブリと電気的に接続される回路基板とを備えた光モジュールを提供する。
【発明の効果】
【００１２】
本発明に係る光アセンブリ及び光モジュールによれば、レンズブロックを収容する金属製のハウジングからレンズブロックが離脱してしまうことを防止することが可能となる。
【図面の簡単な説明】
【００１３】
【図１】本発明の実施の形態に係る光モジュールの外観を示す斜視図である。
【図２】光モジュールのケース内部を示す斜視図である。
【図３】光モジュールのＲＯＳＡ及び第１のフレキシブル基板を示す斜視図である。
【図４】ＲＯＳＡの内部構造を示す断面斜視図である。
【図５】ＲＯＳＡを構成するフォトダイオードアレイ及びその周辺の部品を示し、（ａ）は分解斜視図、（ｂ）はこれらの部品が組み立てられた状態の斜視図である。
【図６】（ａ）及び（ｂ）は、ハウジング内部の光学系を示す説明図である。
【図７】（ａ）及び（ｂ）は、レンズブロックを支持する支持部材を示す斜視図である。
【図８】（ａ）は、レンズブロックのフォトダイオードアレイとの対向面側を示す斜視図であり、（ｂ）は、レンズブロックのミラーとの対向面側を示す斜視図である。
【図９】（ａ）及び（ｂ）は、分波器及びこの分波器をハウジングに対して位置決めするための円柱状部材を示す斜視図である。（ｃ）は、（ｂ）のＡ部拡大図である。
【図１０】ハウジングを収容空間の開口側から見た斜視図である。
【図１１】フィルタベースの切り欠きの周辺部におけるフィルタベース及びハウジングの断面図である。
【図１２】（ａ）は、円柱状部材との接触部の周辺を示すフィルタベース及びハウジングの断面図であり、（ｂ）は、（ａ）のＢ部拡大図である。
【発明を実施するための形態】
【００１４】
［実施の形態］
（光モジュールの構成）
図１は、本発明の実施の形態に係る光モジュールの外観を示す斜視図である。図２は、光モジュールのケース内部を示す斜視図である。この光モジュール１は、ＱＳＦＰ＋規格に準拠したＷＤＭ用の小型光トランシーバである。
【００１５】
光モジュール１は、光モジュール１のケース１０を構成する上側ケース部材１１及び下側ケース部材１２と、上側ケース部材１１に取り付けられたラッチ機構１３と、ケース１０内に収容された光送受信アセンブリ１００とを備える。
【００１６】
ケース１０は、ＱＳＦＰ＋規格に準拠した大きさで、直方体状に形成されている。ケース１０の長手方向における上側ケース部材１１の一端部は、図略の光コネクタが嵌合するアダプタ部１１０として形成され、このアダプタ部１１０には、送信用差し込み口１１１と受信用差し込み口１１２とが設けられている。
【００１７】
ラッチ機構１３は、上側ケース部材１１に対してスライド可能に保持されたスライド部材１３１と、上側ケース部材１１に形成された支軸１１ａを回転中心として回動可能に支持された回動部材１３２とを有して構成されている。回動部材１３２は、支軸１１ａを回転中心として例えば９０°の範囲で回動可能であり、この回動部材１３２の回動に伴ってスライド部材１３１がケース１０の長手方向にスライドする。そして、回動部材１３２の回動動作、及びスライド部材１３１のスライド動作によって、光モジュール１の取付対象装置へのラッチが解除される。
【００１８】
（光送受信アセンブリの構成）
光送受信アセンブリ１００は、４波ＷＤＭ用の光送受信アセンブリであり、第１及び第２の回路基板２１，２２と、第１の回路基板２１に接続された第１のフレキシブル基板２３ならびに第２の回路基板２２に接続された第２のフレキシブル基板２４と、第１の回路基板２１に第１のフレキシブル基板２３を介して電気的に接続されたＲＯＳＡ４と、第２の回路基板２２に第２のフレキシブル基板２４を介して電気的に接続されたＴＯＳＡ（Transmitter Optical Sub Assembly）３とを備えて構成されている。図２では、説明のため、第２のフレキシブル基板２４を透視して、その輪郭を二点鎖線で図示している。ＲＯＳＡ４は、本発明に係る光アセンブリの一態様である。
【００１９】
第１及び第２の回路基板２１，２２は、例えばガラスエポキシ等からなる板状の絶縁体の表面に銅箔によって配線パターンを形成したリジッド基板であり、互いに平行に対向配置されている。第１の回路基板２１と第２の回路基板２２とは、図略のフレキシブル基板によって電気的に接続されている。なお、第１の回路基板２１と第２の回路基板２２とを例えばコネクタによって接続してもよい。
【００２０】
第１の回路基板２１の一端部には、外部装置と着脱可能なエッジコネクタ部２１１が形成されている。このエッジコネクタ部２１１には、外部装置との電気信号の入出力のための複数の電極パッド２１１ａが設けられている。また、第１の回路基板２１には、外部装置とのインタフェース等のための図略の複数の電子部品が実装されている。受信用差し込み口１１２に嵌合する光コネクタに保持された光ファイバを伝搬する光信号は、ＲＯＳＡ４において電気信号に変換され、第１の回路基板２１に実装された電子部品で信号処理されてエッジコネクタ部２１１から外部装置に出力される。ＲＯＳＡ４には、光コネクタのフェルールを受容する円筒状の光レセプタクル４ａが設けられている。
【００２１】
第２の回路基板２２には、第１の回路基板２１のエッジコネクタ部２１１を介して外部装置から入力された信号に基づいてＴＯＳＡ３を駆動するためのドライバＩＣ２２１等の電子部品が実装されている。このドライバＩＣ２２１からの出力信号は、ＴＯＳＡ３を駆動する駆動電力として、第２のフレキシブル基板２４を介してＴＯＳＡ３に伝達される。第２のフレキシブル基板２４は、ＴＯＳＡ３の外形形状に沿って湾曲し、第２の回路基板２２とＴＯＳＡ３とを電気的に接続している。ＴＯＳＡ３には、光コネクタのフェルールを受容する円筒状の光レセプタクル３ａが設けられている。
【００２２】
（ＴＯＳＡの構成）
ＴＯＳＡ３は、光源としてＬＤ（LASER Diode）を内蔵した第１乃至第４のＣＡＮパッケージ３１〜３４と、これらの第１乃至第４のＣＡＮパッケージ３１〜３４を保持するベース部材３０とを有している。第１乃至第４のＣＡＮパッケージ３１〜３４のＬＤから発した光は、ベース部材３０に内蔵された図略のコリメートレンズで平行化されると共に複数のダイクロイックミラーで同軸に重畳され、集光レンズで集光されて光コネクタに保持された光ファイバに入射する。
【００２３】
（ＲＯＳＡの構成）
図３は、ＲＯＳＡ４及び第１のフレキシブル基板２３を示す斜視図である。図４は、ＲＯＳＡ４の内部構造を示す断面斜視図である。図５は、ＲＯＳＡ４を構成する光電変換素子としてのフォトダイオードアレイ５０及びその周辺の部品を示し、（ａ）は分解斜視図、（ｂ）はこれらの部品が組み立てられた状態の斜視図である。
【００２４】
ＲＯＳＡ４は、直方体状のハウジング４０と、ハウジング４０に溶接によって結合された金属ベース４１と、ハウジング４０の内部に保持された支持部材４２と、後述する分波器７０を位置決めするための円柱状部材４３と、光レセプタクル４ａを構成する第１及び第２の円筒部材４４，４５ならびに割りスリーブ４６とを有している。
【００２５】
ハウジング４０、金属ベース４１、ならびに第１及び第２の円筒部材４４，４５は、例えばステンレス等の鉄系金属からなり、互いに結合されている。ハウジング４０と金属ベース４１及び第１の円筒部材４４とは、溶接によって互いに結合され、第１の円筒部材４４と第２の円筒部材４５とは、圧入嵌合によって結合されている。金属ベース４１の周縁部には、図５に示すように、第１乃至第６の切り欠き４１１〜４１６が形成されており、金属ベース４１は、第１乃至第６の切り欠き４１１〜４１６においてハウジング４０に溶接されている。つまり、第１乃至第６の切り欠き４１１〜４１６に面したハウジング４０の端面を溶かすことにより、溶融した金属が第１乃至第６の切り欠き４１１〜４１６の内部に留まり、外側に流れ出ることが抑制されている。なお、ハウジング４０、金属ベース４１、ならびに第１及び第２の円筒部材４４，４５は、溶接や圧入嵌合に限らず、例えば溶剤を用いた接着によって結合してもよい。
【００２６】
割りスリーブ４６は、第１及び第２の円筒部材４４，４５の内側に保持され、このスリーブ４６のさらに内側にキャピラリ４７が配置されている。キャピラリ４７の中心軸上に穿設された微小穴には、光コネクタに保持された光ファイバからの光を導波するＲＯＳＡ側の光ファイバ４８が配置されている。
【００２７】
また、ＲＯＳＡ４は、光信号を電気信号に変換する光電変換素子としてのフォトダイオードアレイ５０（以下、ＰＤ５０と略記する）と、ＰＤ５０に電気的に接続されたトランスインピーダンスアンプ５１（以下、ＴＩＡ５１と略記する）と、ＰＤ５０及びＴＩＡ５１が実装された実装基板６０と、ＰＤ５０と光ファイバ４８とを光学的に結合する光学系７とを有している。ＴＩＡ５１は、ＰＤ５０による光電変換によって得られた電気信号（電流信号）をインピーダンス変換すると共に増幅し、電圧信号として出力する。ＰＤ５０とＴＩＡ５１、及びＴＩＡ５１と第１のフレキシブル基板２３の電極とは、図略のボンディングワイヤによって電気的に接続される。
【００２８】
実装基板６０は、板状の絶縁体からなる基材６１の一方の面に導電性の金属からなる導電性金属層６２が形成されている。基材６１の材質としては、熱伝導性に優れた絶縁体を好適に用いることができ、本実施の形態では、基材６１の材質としてセラミックスを用いている。また、本実施の形態では、導電性金属層６２が金メッキによって形成されている。この導電性金属層６２は、ＰＤ５０及びＴＩＡ５１が実装された実装面６０ａ側に形成され、その裏側の面は部品が実装されない非実装面６０ｂである。実装基板６０は、金属ベース４１に形成された凹部４１０に収容され、非実装面６０ｂが凹部４１０の底面４１０ａに例えば接着によって固定されている。
【００２９】
図４に示すように、光学系７は、光ファイバ４８の出射光をコリメート光に変換するコリメートレンズ７１と、ＡＲ（Anti-Reflective）コートが施されたＡＲフィルタ７２と、第１乃至第４の分波フィルタ７３〜７６と、ＡＲフィルタ７２及び第１乃至第４の分波フィルタ７３〜７６を支持するベース部材としてのフィルタベース７７と、第１乃至第４の分波フィルタ７３〜７６で分波された光を反射するミラー７８と、支持部材４２に支持されたレンズブロック７９とを有して構成されている。これらの光学系７の構成部材は、ハウジング４０の収容空間４０ａに収容されている。
【００３０】
光ファイバ４８の出射光は、波長多重化された信号光である。ＡＲフィルタ７２、第１乃至第４の分波フィルタ７３〜７６、及びフィルタベース７７は、この波長多重化された信号光を複数の分波信号光に分波する分波器７０を構成する。第１乃至第４の分波フィルタ７３〜７６は、所定範囲の波長の光を透過させ、それ以外の波長の光を反射させる機能を有している。ＡＲフィルタ７２及び第１乃至第４の分波フィルタ７３〜７６は、フィルタベース７７の一つの側面に、一列に並んで配置されている。
【００３１】
フィルタベース７７は、石英ガラスやＢＫ７光学ガラス等のガラス製の透光性部材からなる直方体状の部材であり、その側面の一つが円柱状部材４３に接して位置決めされている。このフィルタベース７７の位置決め構造については後述する。
【００３２】
レンズブロック７９は、透光性を有する樹脂からなり、ハウジング４０よりも高い熱膨張率を有している。また、レンズブロック７９は、ベース７９０と、このベース７９０と一体に、ミラー７８との対向面に形成された第１乃至第４の集光レンズ部７９１〜７９４とを有して構成されている。レンズブロック７９の材質としては、例えばアクリル系樹脂等の樹脂材料を用いることができる。第１の集光レンズ部７９１は、第１の分波フィルタ７３を透過してミラー７８で反射した光をＰＤ５０に集光する。以下同様に、第２乃至第４の集光レンズ部７９２〜７９４は、第２乃至第４の分波フィルタ７４〜７６を透過してミラー７８で反射した光をＰＤ５０に集光する。
【００３３】
図６（ａ）及び（ｂ）は、ハウジング４０の収容空間４０ａの開口側（金属ベース４１側）から見た光学系７を示す説明図であり、図６（ａ）では、レンズブロック７９及び支持部材４２の図示を省略し、分波器７０を通過する光の光路Ｌを一点鎖線で図示している。また、図６（ｂ）では、支持部材４２を収容空間４０ａ内に保持するための第１及び第２の保持部材４９１，４９２、ならびにレンズブロック７９を支持部材４２に固定するための接着剤Ｇを図示している。
【００３４】
キャピラリ４７に保持された光ファイバ４８から出射され、ハウジング４０のレンズ保持部４００に保持されたコリメートレンズ７１を透過した光は、ＡＲフィルタ７２を透過してフィルタベース７７に入射する。この光は、送信側の装置において波長の異なる光が重畳されたＷＤＭ光信号である。以下の説明では、このＷＤＭ光信号が、互いに波長の異なる第１乃至第４の信号光が重畳されたものであるものとする。
【００３５】
フィルタベース７７に入射した入射光は、ＡＲフィルタ７２及び第１乃至第４の分波フィルタ７３〜７６が配置された面とは反対側の側面に形成された反射面７７０で第１の分波フィルタ７３に向かって反射する。第１の分波フィルタ７３は、第１の信号光を第１の分波信号光として透過させ、第２乃至第４の信号光を反射する。第１の分波フィルタ７３で反射した光は、フィルタベース７７の反射面７７０で再度反射し、第２の分波フィルタ７４に向かって進む。
【００３６】
第２の分波フィルタ７４は、第２の信号光を第２の分波信号光として透過させ、第３及び第４の信号光を反射する。第２の分波フィルタ７４で反射した光は、フィルタベース７７の反射面７７０で再度反射し、第３の分波フィルタ７５に向かって進む。また、第３の分波フィルタ７５は、第３の信号光を第３の分波信号光として透過させ、第４の信号光を反射する。第３の分波フィルタ７５で反射した光は、フィルタベース７７の反射面７７０で再度反射し、第４の分波フィルタ７６に向かって進む。第４の分波フィルタ７６は、第４の信号光を第４の分波信号光として透過させる。
【００３７】
第１乃至第４の分波フィルタ７３〜７６を透過した第１乃至第４の分波信号光は、それぞれ異なる位置でミラー７８によって反射し、レンズブロック７９によってＰＤ５０の受光部に受光される。ＰＤ５０は、第１乃至第４の分波信号光を受光し、電気信号に変換して出力する。この電気信号は、ＴＩＡ５１によって増幅され、第１のフレキシブル基板２３に形成された信号線路によって第１の回路基板２１に伝送される。
【００３８】
（支持部材の構成）
図７（ａ）及び（ｂ）は、レンズブロック７９を支持するための支持部材４２を示す斜視図である。
【００３９】
支持部材４２は、ハウジング４０に保持される被保持部４２ａと、レンズブロック７９を支持する支持部４２ｂとを有している。本実施の形態では、支持部材４２がステンレス等の鉄系金属からなる帯状の薄板を屈曲して形成されて、一対の腕部４２１，４２２と、一対の腕部４２１，４２２をそれぞれの基端部側で連結する胴部４２０とを一体に有している。一対の腕部４２１，４２２は、その長手方向の一端において胴部４２０によって連結され、長手方向の他端は自由端である。以下の説明では、一対の腕部４２１，４２２のうち、一方の腕部を第１の腕部４２１とし、他方の腕部を第２の腕部４２２とする。
【００４０】
第１の腕部４２１には、長手方向の２箇所に切り欠き４２１ａ，４２１ｂが形成されている。同様に、第２の腕部４２２には、長手方向の２箇所に切り欠き４２２ａ，４２２ｂが形成されている。これらの切り欠き４２１ａ，４２１ｂ，４２２ａ，４２２ｂは、第１及び第２の腕部４２１，４２２の厚さ方向全体に亘って幅方向に切り欠かれている。
【００４１】
切り欠き４２１ａ，４２１ｂ，４２２ａ，４２２ｂは、図６（ｂ）に示すように、接着剤Ｇが充填される接着剤溜りとして機能する。第１及び第２の腕部４２１，４２２における基端部側（胴部４２０側）の切り欠き４２１ａ，４２２ａに充填される接着剤Ｇは、支持部材４２をハウジング４０に固定する。また、第１及び第２の腕部４２１，４２２における先端部側（胴部４２０とは反対側）の切り欠き４２１ｂ，４２２ｂに充填される接着剤Ｇは、レンズブロック７９を支持部材４２に固定する。本実施の形態では、接着剤Ｇが紫外線硬化型の接着剤である。
【００４２】
支持部材４２の被保持部４２ａは、胴部４２０と、第１及び第２の腕部４２１，４２２の基端部側の一部とを含んで構成されている。支持部材４２の支持部４２ｂは、第１及び第２の腕部４２１，４２２の先端側の一部によって構成されている。第１及び第２の腕部４２１，４２２の基端部側の切り欠き４２１ａ，４２２ａは被保持部４２ａに、第１及び第２の腕部４２１，４２２の先端部側の切り欠き４２１ｂ，４２２ｂは支持部４２ｂに、それぞれ形成されている。ハウジング４０に支持部材４２の被保持部４２ａを保持する保持構造については後述する。
【００４３】
（レンズブロックの構成）
図８（ａ）は、レンズブロック７９のＰＤ５０との対向面側を示す斜視図であり、図８（ｂ）は、レンズブロック７９のミラー７８との対向面側を示す斜視図である。
【００４４】
レンズブロック７９は、長手方向の両端部に凹部７９０ａ，７９０ｂが形成された直方体状のベース７９０と、第１乃至第４の集光レンズ部７９１〜７９４と、ベース７９０よりも厚さが薄い舌片部７９５とを一体に有している。第１乃至第４の集光レンズ部７９１〜７９４は、ベース７９０の一側面に、ベース７９０の長手方向に対して傾斜した並び方向に沿って一列に設けられている。
【００４５】
レンズブロック７９は、ベース７９０の長手方向の両端部が支持部材４２の支持部４２ｂに固定されて収容空間４０ａ内に支持される。より具体的には、ベース７９０が支持部材４２の第１及び第２の腕部４２１，４２２に挟まれ、接着剤Ｇによって第１及び第２の腕部４２１，４２２の先端部に固定される。すなわち、本実施の形態では、支持部材４２の支持部４２ｂがレンズブロック７９のベース７９０をその長手方向に挟む第１及び第２の腕部４２１，４２２によって構成されている。ベース７９０の凹部７９０ａ，７９０ｂは、ベース７９０を第１及び第２の腕部４２１，４２２の先端部に固定するための接着剤Ｇが充填される接着剤溜りとして機能する。
【００４６】
レンズブロック７９を支持部材４２の支持部４２ｂに固定する際には、予め支持部材４２の被保持部４２ａをハウジング４０に保持させておき、レンズブロック７９の舌片部７９５を例えばピンセット状の把持具によって把持した状態で、ベース７９０の凹部７９０ａ，７９０ｂならびに第１及び第２の腕部４２１，４２２の先端部側の切り欠き４２１ｂ，４２２ｂに接着剤Ｇを充填する。そして、コリメートレンズ７１を透過して分波器７０によって分波した第１乃至第４の分波信号光が所定の位置に焦光するようにレンズブロック７９の位置を把持具によって調節した後、紫外線を照射して接着剤Ｇを硬化させる。これにより、レンズブロック７９は、適切に位置合わせされた後に支持部材４２に接着によって固定される。
【００４７】
（分波器及び円柱状部材の構成）
図９（ａ）及び（ｂ）は、分波器７０及びこの分波器７０をハウジング４０に対して位置決めするための円柱状部材４３を示す斜視図である。図９（ｃ）は、図９（ｂ）のＡ部拡大図である。
【００４８】
フィルタベース７７は、一つの辺に切り欠きが形成された直方体状であり、例えば素材となるガラス板をダイシングして作成される。以下の説明では、図６（ａ）に示すように、ハウジング４０の収容空間４０ａの開口側から見た場合に正面となる面をフィルタベース７７の上面７７ａとし、その反対側の面を下面７７ｂとする。また、ＡＲフィルタ７２及び第１乃至第４の分波フィルタ７３〜７６が配置された側面を第１の側面７７ｃ、この第１の側面７７ｃに直交して円柱状部材４３に対向する面を第２の側面７７ｄ、第１の側面７７ｃの反対側の面を第３の側面７７ｅ、第２の側面７７ｄの反対側の面を第４の側面７７ｆとする。
【００４９】
ＡＲフィルタ７２及び第１乃至第４の分波フィルタ７３〜７６は、それぞれが直方体状であり、フィルタベース７７の第１の側面７７ｃの長手方向に沿って一列に配置されている。
【００５０】
また、フィルタベース７７には、直交する２つの面である下面７７ｂと第３の側面７７ｅとの間の角部に切り欠き７７１が形成されている。本実施の形態では、この切り欠き７７１が、第３の側面７７ｅに平行で下面７７ｂに直交する第１の切り欠き面７７１ａ、及び下面７７ｂに平行で第３の側面７７ｅに直交する第２の切欠き面７７１ｂによって形成されている。ただし、これに限らず、切り欠き７７１を例えば下面７７ｂ及び第３の側面７７ｅに対して傾斜した平面からなる削り角面によって形成してもよい。
【００５１】
円柱状部材４３は、その中心軸がフィルタベース７７の第１乃至第４の側面７７ｃ〜７７ｆと平行となるように配置され、中心軸方向の両端面の周縁が切り欠かれている。本実施の形態では、円柱状部材４３の両端部がテーパ状に切り欠かれ、先細り形状とされている。以下の説明では、ハウジング４０の収容空間４０ａの開口側から見たときに正面となる端面を円柱状部材４３の上端面４３ａとし、その反対側の端面を下端面４３ｂとし、外周面を周面４３ｃとする。また、上端面４３ａ側の切り欠き部４３１における外面を上側テーパ面４３１ａとし、下端面４３ｂ側の切り欠き部４３２における外面を下側テーパ面４３２ａとする。
【００５２】
フィルタベース７７は、円柱状部材４３に接触してハウジング４０の収容空間４０ａ内に位置決めされる。より具体的には、フィルタベース７７の第２の側面７７ｄが円柱状部材４３の周面４３ｃに線接触する。
【００５３】
（ハウジングの構成）
図１０は、ハウジング４０を収容空間４０ａの開口側から見た斜視図である。
【００５４】
ハウジング４０の収容空間４０ａは、金属ベース４１（図３，図５に示す）に溶接される端面４００ａから金属ベース４１とは反対側に窪んだ凹部として形成されている。この収容空間４０ａは、例えばエンドミルによる切削加工によって形成される。
【００５５】
収容空間４０ａは、第１の底面４００ｂを有する第１の凹部４０ｂと、第２の底面４００ｃを有する第２の凹部４０ｃとを有する二段底構造を有し、第２の凹部４０ｃは、第１の凹部４０ｂの第１の底面４００ｂよりもさらに窪んで形成されている。第１の凹部４０ｂには、支持部材４２及びレンズブロック７９が収容され、第２の凹部４０ｃには、分波器７０及びミラー７８が収容される。
【００５６】
ハウジング４０には、支持部材４２を弾性変形した状態で保持するための第１乃至第３の突部４０１〜４０３が設けられている。第１乃至第３の突部４０１〜４０３のそれぞれの先端面４０１ｂ，４０２ｂ，４０３ｂは、第１の凹部４０ｂの内面である。第１の突部４０１の先端面４０１ｂと第２の突部４０２の先端面４０２ｂとは、互いに向かい合っている。
【００５７】
第１の凹部４０ｂにおける第１の底面４００ｂには、第１及び第２の保持部材４９１，４９２（図６に示す）を嵌合固定するための一対の嵌合穴４０４，４０５が形成されている。第１及び第２の保持部材４９１，４９２は円柱状の部材であり、嵌合穴４０４，４０５は、第１及び第２の保持部材４９１，４９２の一部を収容する丸穴である。第１及び第２の保持部材４９１，４９２は、一対の嵌合穴４０４，４０５への嵌合により、ハウジング４０に取り付けられている。
【００５８】
また、支持部材４２は、第１の腕部４２１と第２の腕部４２２とが、第１の突部４０１及び第２の突部４０２との当接によって互いに接近するように弾性変形する。つまり、支持部材４２は、ハウジング４０に組み付けられる前の状態では、第１の腕部４２１と第２の腕部４２２との間の間隔が先端部側ほど広がる形状であり、この間隔を狭めるように弾性変形した状態でハウジング４０に保持される。
【００５９】
支持部材４２は、第１及び第２の突部４０１，４０２に挟まれた部分を含む第１及び第２の腕部４２１，４２２の基端部側の一部ならびに胴部４２０がハウジング４０に保持される被保持部４２ａであり、第１及び第２の腕部４２１，４２２における第１及び第２の突部４０１，４０２よりも先端部側の一部がレンズブロック７９を支持する支持部４２ｂである。
【００６０】
被保持部４２ａは、ハウジング４０の第１の凹部４０ｂの内面である第１乃至第３の突部４０１〜４０３の先端面４０１ｂ，４０２ｂ，４０３ｂに押し付けられるように弾性変形してハウジング４０に保持されている。より具体的には、第１及び第２の保持部材４９１，４９２が胴部４２０の長手方向の両端部に接触すると共に、第３の突部４０３が胴部４２０の長手方向の中央部に接触し、胴部４２０が弓形に撓むように弾性変形して第３の突部４０３の先端面４０３ｂに押し付けられている。また、第１の保持部材４９１は、第１の腕部４２１の基端部における第２の腕部４２２との対向面側に接触し、第２の保持部材４９２は、第２の腕部４２２の基端部における第１の腕部４２１との対向面側に接触している。これにより、第１の腕部４２１と第２の腕部４２２とは、第１及び第２の保持部材４９１，４９２によって互いに離間する方向に押し広げられ、かつこの方向への変形が第１及び第２の突部４０１，４０２との接触によって規制されている。つまり、被保持部４２ａにおける第１及び第２の腕部４２１，４２２は、第１及び第２の保持部材４９１，４９２によって、第１及び第２の突部４０１，４０２の先端面４０１ｂ，４０２ｂに押し付けられている。
【００６１】
このように、支持部材４２の被保持部４２ａは、第１及び第２の保持部材４９１，４９２によって、ハウジング４０の収容空間４０ａの内面に複数箇所（第１及乃至第３の突部４０１〜４０３の先端面４０１ｂ，４０２ｂ，４０３ｂ）で押し付けられている。
【００６２】
支持部材４２をハウジング４０に組み付ける際には、胴部４２０ならびに第１及び第２の腕部４２１，４２２を弾性変形させて第１の凹部４０ｂ内に仮保持し、その後、第１及び第２の腕部４２１，４２２の切り欠き４２１ａ，４２２ａに充填される接着剤Ｇによって被保持部４２ａを第１の底面４００ｂに固定する。支持部材４２が仮保持された状態では、第１及乃至第３の突部４０１〜４０３の先端面４０１ｂ，４０２ｂ，４０３ｂとの間に作用する摩擦力によって支持部材４２の位置及び姿勢が安定した状態に保たれ、接着剤Ｇを塗布する際に支持部材４２が動いてしまうことが抑制される。
【００６３】
ところで、レンズブロック７９は、前述のようにハウジング４０よりも熱膨張率が高いので、例えばハウジング４０及びレンズブロック７９がＰＤ５０やＴＩＡ５１で発生した熱によって温度上昇したとき、レンズブロック７９は、ハウジング４０よりも大きな割合で膨張する。また、温度が低下したときには、レンズブロック７９がハウジング４０よりも大きな割合で収縮する。
【００６４】
支持部材４２の支持部４２ｂにおける第１及び第２の腕部４２１，４２２は、レンズブロック７９の温度が上昇したとき、ハウジング４０の第１及び第２の突部４０１，４０２を支点として、その先端部間の間隔が広がるように湾曲して弾性変形する。このため、少なくとも常温時（２５℃）には、第１及び第２の腕部４２１，４２２の先端部とハウジング４０の収容空間４０ａ（第１の凹部４０ｂ）の内面との間に空隙が形成されている。この空隙は、温度上昇時には狭くなり、温度下降時には拡大する。この支持部４２ｂの弾性変形により、レンズブロック７９とハウジング４０との熱膨張率による寸法変化を吸収する。すなわち、支持部材４２の支持部４２ｂは、レンズブロック７９及びハウジング４０の温度変化に伴って変形可能な弾性を有している。なお、第１及び第２の腕部４２１，４２２とレンズブロック７９とを接着する接着剤Ｇの温度変化による膨張及び収縮も、支持部４２ｂの弾性変形によって吸収される。
【００６５】
一方、第２の凹部４０ｃには、分波器７０のフィルタベース７７をハウジング４０に接着固定するための接着剤溜り部４０６が第２の底面４００ｃに形成されている。また、第２の凹部４０ｃは、円柱状部材４３が接触する第１接触面４０１ｃと、フィルタベース７７の第３の側面７７ｅが当接する第２接触面４０２ｃ及び第３接触面４０３ｃとを内面に有している。第２接触面４０２ｃと第３接触面４０３ｃとの間には、切り欠き部４０７が形成され、第２接触面４０２ｃと第３接触面４０３ｃとが切り欠き部４０７によって分離されている。
【００６６】
第１接触面４０１ｃ、第２接触面４０２ｃ、及び第３接触面４０３ｃは、収容空間４０ａの内面であり、より具体的には、第１の凹部４０ｂの第１の底面４００ｂと第２の凹部４０ｃの第２の底面４００ｃとの間の段差面である。
【００６７】
第１接触面４０１ｃは、第２の底面４００ｃに対して垂直であり、かつ円柱状部材４３の周面４３ｃの曲率よりも小さな曲率で湾曲した湾曲面である。第２接触面４０２ｃ及び第３接触面４０３ｃは、第２の底面４００ｃに対して垂直な平面である。フィルタベース７７の第３の側面７７ｅは、その第２の側面７７ｄ側の端部が凹部４０ｃの第２接触面４０２ｃに接触し、第４の側面７７ｆ側の端部が凹部４０ｃの第３接触面４０３ｃに接触する。
【００６８】
また、第２の凹部４０ｃには、ミラー７８が取り付けられる取付面４０４ｃが第２の底面４００ｃに対して傾斜して形成されている。ミラー７８は、この取付面４０４ｃに例えば接着によって取り付けられる。
【００６９】
（フィルタベースの位置決め構造）
図１１は、切り欠き７７１の周辺部におけるフィルタベース７７及びハウジング４０の断面図である。図１２（ａ）は、円柱状部材４３との接触部の周辺を示すフィルタベース７７及びハウジング４０の断面図であり、図１２（ｂ）は、図１２（ａ）のＢ部拡大図である。
【００７０】
フィルタベース７７は、直交する２面である下面７７ｂと第３の側面７７ｅとがハウジング４０の内面に面接触すると共に、第２の側面７７ｄが円柱状部材４３に接触して位置決めされる。
【００７１】
ここで、金属からなるハウジング４０は、前述のように切削等によって形成されるが、直交する面同士の角部には、ある程度の丸みが不可避的に発生してしまう。一方、フィルタベース７７のようにガラスからなる部材は、直方体の各辺をなす角部のエッジが立つので、このようなガラス部材をハウジング４０の内面に接触させて位置決めしようとすれば、ガラス部材のエッジ部がハウジング４０の丸みの部分に当たってしまい、位置決め精度が低下してしまう。
【００７２】
そこで、本実施の形態では、切り欠き７７１を形成し、またハウジング４０の内面との間に円柱状部材４３を挟んでフィルタベース７７を位置決めすることで、位置決め精度を高めている。以下、この位置決め構造について詳述する。
【００７３】
図１１に示すように、フィルタベース７７は、下面７７ｂが収容空間４０ａの第２の凹部４０ｃにおける第２の底面４００ｃに面接触し、かつ第３の側面７７ｅが第２接触面４０２ｃに面接触する。ハウジング４０には、第２の底面４００ｃと第２接触面４０２ｃとの間に丸みを帯びた角アール部４０４ｃが形成されているが、下面７７ｂ及び第３の側面７７ｅは、この角アール部４０４ｃに接触しない。また、切り欠き７７１の第１及び第２の切り欠き面７７１ａ，７７１ｂも、角アール部４０４ｃに接触しない。すなわち、フィルタベース７７は、切り欠き７７１が形成されていることにより、角アール部４０４ｃとの接触が回避されている。
【００７４】
また、図示は省略しているが、フィルタベース７７の第３の側面７７ｅは、第２の凹部４０ｃにおける第３接触面４０３ｃにも、第２接触面４０２ｃと同様に面接触する。
【００７５】
これにより、フィルタベース７７の下面７７ｂとハウジング４０の第２の底面４００ｃ、及びフィルタベース７７の第３の側面７７ｅとハウジング４０の第２接触面４０２ｃならびに第３接触面４０３ｃとをそれぞれ面接触させることができ、フィルタベース７７のハウジング４０に対する位置決め精度を高めることができる。
【００７６】
また、図１２に示すように、円柱状部材４３は、その周面４３ｃが収容空間４０ａの第２の凹部４０ｃにおける第１接触面４０１ｃに線接触すると共に、フィルタベース７７の第２の側面７７ｄに線接触する。また、円柱状部材４３の下端面４３ｂは、第２の底面４００ｃに面接触する。図１２（ｂ）に示すように、ハウジング４０の第１接触面４０１ｃと第２の底面４００ｃとの間には、角アール部４０５ｃが形成されているが、円柱状部材４３は、下端面４３ｂ側の端部に切り欠き４３２が形成されていることにより、下端面４３ｂが角アール部４０５ｃに接触せず、周面４３ｃも角アール部４０５ｃに接触しない。また、切り欠き４３２における下側テーパ面４３２ａも、角アール部４０５ｃに接触しない。
【００７７】
これにより、フィルタベース７７における第２の側面７７ｄとハウジング４０の第１接触面４０１ｃとの間の間隔が、円柱状部材４３の周面４３ｃの直径に保たれる。
【００７８】
以上の構成により、フィルタベース７７は、下面７７ｂを第２の底面４００ｃに面接触させ、かつ第３の側面７７ｅを第２接触面４０２ｃ及び第３接触面４０３ｃに面接触させた状態で、第１接触面４０１ｃとの間に円柱状部材４３を挟むことで、ハウジング４０に対して高精度に位置決めされる。そして、フィルタベース７７は、ハウジング４０に対して位置決めされた状態でハウジング４０に固定される。この固定は、例えば接着剤溜り部４０６に紫外線硬化型接着剤を充填し、フィルタベース７７の位置決め後に紫外線を照射することで行うことができる。
【００７９】
（実施の形態の作用及び効果）
以上説明した実施の形態によれば、以下のような作用及び効果が得られる。
【００８０】
（１）支持部材４２の支持部４２ｂは、レンズブロック７９及びハウジング４０の温度変化に伴って変形可能な弾性を有しているので、これらの熱膨張率の違いによる膨張又は収縮量の違いを弾性変形によって吸収し、レンズブロック７９を確実に支持することができる。
【００８１】
（２）支持部材４２は、支持部４２ｂがレンズブロックを挟む一対の腕部によって構成され、被保持部４２ａが第１及び第２の腕部４２１，４２２をそれぞれの基端部側で連結する胴部４２０を含むので、支持部材４２を簡素な構成としながら、支持部４２ｂにおける弾性変形量を十分に確保することができる。
【００８２】
（３）支持部材４２の被保持部４２ａは、ハウジング４０の収容空間４０ａの内面（第１乃至第３の突部４０１〜４０３のそれぞれの先端面４０１ｂ，４０２ｂ，４０３ｂ）に接触してハウジング４０に保持されているので、支持部材４２を位置精度よくハウジング４０に保持できる。特に、本実施の形態では、支持部材４２の被保持部４２ａにおける第１及び第２の腕部４２１，４２２及び胴部４２０が第１及び第２の保持部材４９１，４９２によってハウジング４０の内面に押し付けられているので、支持部材４２のハウジング４０に対する位置決め精度が向上されている。
【００８３】
（４）レンズブロック７９は、位置合わせ後に支持部材４２の支持部４２ｂに接着によって固定されるので、分波器７０によって分波した第１乃至第４の分波信号光をＰＤ５０の受光部に精度よく受光させることができる。特に、本実施の形態では、第１及び第２の腕部４２１，４２２の先端部側の切り欠き４２１ｂ，４２２ｂ及びベース７９０の凹部７９０ａ，７９０ｂに紫外線硬化型の接着剤Ｇを充填した状態で位置合わせを行い、その後に接着剤Ｇを硬化させるので、接着剤Ｇの硬化によってレンズブロック７９を固定する際にレンズブロック７９が動いてしまうことがなく、位置合わせされた位置で確実にレンズブロック７９を固定することができる。
【００８４】
（５）分波器７０は、ハウジング４０に固定されるフィルタベース７７の一つの面（第１の側面７７ｃ）に複数の分波フィルタ（第１乃至第４の分波フィルタ７３〜７６）が配置されているので、これら複数の分波フィルタのハウジング４０に対する位置精度を高めることができる。また、フィルタベース７７は、切り欠き７７１が間に形成された下面７７ｂと第３の側面７７ｅとがハウジング４０の内面に面接触すると共に、第２の側面７７ｄが円柱状部材４３に接触して位置決めされるので、角アール部４０４ｃ，４０５ｃとの干渉を回避し、ハウジング４０に対して高精度に位置決めすることができる。
【００８５】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００８６】
［１］波長多重化された信号光を複数の分波信号光に分波する分波器（７０）と、前記複数の分波信号光を受光し、電気信号に変換して出力する光電変換素子（ＰＤ５０）と、前記複数の分波信号光を前記光電変換素子（５０）に集光する複数の集光レンズ部（７９１〜７９４）を有するレンズブロック（７９）と、前記分波器（７０）及び前記レンズブロック（７９）を収容する収容空間（４０ａ）が形成されたハウジング（４０）と、前記ハウジング（４０）に保持され、前記レンズブロック（７９）を支持する支持部材（４２）とを備え、前記レンズブロック（７９）は、前記ハウジング（４０）よりも熱膨張率が高く、前記支持部材（４２）は、前記ハウジング（４０）に保持される被保持部（４２ａ）と、前記レンズブロック（７９）を支持する支持部（４２ｂ）とを有し、前記支持部（４２ｂ）は、前記レンズブロック（７９）及び前記ハウジング（４０）の温度変化に伴って変形可能な弾性を有する光アセンブリ（ＲＯＳＡ４）。
【００８７】
［２］前記支持部材（４２）は、前記支持部（４２ｂ）が前記レンズブロック（７９）を挟む一対の腕部（４２１，４２２）によって構成され、前記被保持部（４２ａ）が前記一対の腕部（４２１，４２２）をそれぞれの基端部側で連結する胴部（４２０）を含む。前記［１］に記載の光アセンブリ（４）。
【００８８】
［３］前記支持部材（４２）は、前記被保持部（４２ａ）が前記ハウジング（４０）の内面（第１乃至第３の突部４０１〜４０３のそれぞれの先端面４０１ｂ，４０２ｂ，４０３ｂ）に接触して前記ハウジング（４０）に保持された、前記［１］又は［２］に記載の光アセンブリ（４）。
【００８９】
［４］前記ハウジング（４０）には、前記支持部材（４２）の前記被保持部（４２ａ）を前記収容空間（４０ａ）内に保持するための保持部材（４９１，４９２）が取り付けられ、前記支持部材（４２）の前記被保持部（４２ａ）は、前記保持部材（４２）によって前記ハウジング（４０）の内面（第１及乃至第３の突部４０１〜４０３の先端面４０１ｂ，４０２ｂ，４０３ｂ）に複数箇所で押し付けられている、前記［３］に記載の光アセンブリ（４）。
【００９０】
［５］前記支持部材（４２）の前記被保持部（４２ａ）は、前記一対の腕部（４２１，４２２）の前記基端部側の一部を含み、前記胴部（４２０）及び前記一対の腕部（４２１，４２２）の前記基端部側の一部が、前記保持部材（４９１，４９２）によって前記ハウジング（４０）の内面に押し付けられている、前記［４］に記載の光アセンブリ（４）。
【００９１】
［６］前記レンズブロック（７９）は、位置合わせ後に前記支持部材（４２）の前記支持部（４２ｂ）に接着によって固定された、前記［１］乃至［５］の何れか１つに記載の光アセンブリ（４）。
【００９２】
［７］前記分波器（７０）は、透光性を有する直方体状のベース部材（フィルタベース７７）と、前記ベース部材（７７）の一側面（７７ｃ）に配置された複数の分波フィルタ（７２〜７４）とを有し、前記ベース部材（７７）が前記ハウジング（４０）に固定された、前記［１］乃至［６］の何れか１つに記載の光アセンブリ（４）。
【００９３】
［８］前記ベース部材（７７）は、直交する２つの面（７７ｂ，７７ｅ）の間の角部に切り欠き（７７１）が形成され、前記直交する２つの面（７７ｂ，７７ｅ）が前記ハウジング（４０）の内面（第２の底面４００ｃ，第２接触面４０２ｃ，第３接触面４０３ｃ）に面接触して位置決めされた、前記［７］に記載の光アセンブリ（４）。
【００９４】
［９］前記ベース部材（７７）は、前記ハウジング（４０）の内面（第１接触面７０１ｃ）との間に配置された円柱状部材（４３）に接触して位置決めされ、前記円柱状部材（４３）は、その軸方向の一端部における端面（４３ｂ）と周面（４３ｃ）とが前記ハウジング（４０）の内面（第２の底面４００ｃ，第１接触面７０１ｃ）に接触し、前記端面（４３ｂ）の周縁が切り欠かれている、前記［７］又は［８］に記載の光アセンブリ（４）。
【００９５】
［１０］前記［１］乃至［９］の何れか１つに記載された光アセンブリ（４）と、前記光アセンブリ（４）と電気的に接続される回路基板（２１）とを備えた光モジュール（１）。
【００９６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００９７】
また、本発明は、その趣旨を逸脱しない範囲で適宜変形して実施することが可能である。例えば、上記実施の形態では、ＲＯＳＡ４が４つの波長が異なる光信号が重畳されたＷＤＭ光信号を受光する場合について説明したが、これに限らず、２つ又は３つ、もしくは５つ以上の波長が異なる光を受光するようにＲＯＳＡ４を構成してもよい。また、上記実施の形態では、円柱状部材４３の下端面４３ｂの周縁がテーパ状に切り欠かれた場合について説明したが、これに限らず、例えば階段状に切り欠かれていてもよい。
【符号の説明】
【００９８】
１…光モジュール
２１…第１の回路基板
４０…ハウジング
４０１〜４０３…第１乃至第３の突部
４０１ｂ，４０２ｂ，４０３ｂ…先端面（内面）
４０１ｃ，４０２ｃ，４０３ｃ…第１乃至第３接触面
４０ａ…収容空間
４２…支持部材
４２０…胴部
４２１，４２２…第１及び第２の腕部
４２ａ…被保持部
４２ｂ…支持部
４３…円柱状部材
４３ａ…上端面
４３ｂ…下端面
４３ｃ…周面
５０…フォトダイオードアレイ（光電変換素子）
７０…分波器
７３〜７６…第１乃至第４の分波フィルタ
７７…フィルタベース（ベース部材）
７７ｂ…下面
７７ｃ〜７７ｆ…第１乃至第４の側面
７９…レンズブロック
７９１〜７９４…第１乃至第４の集光レンズ部
【図１】
2016099379.tif 000003
【図２】
2016099379.tif 000004
【図３】
2016099379.tif 000005
【図４】
2016099379.tif 000006
【図５】
2016099379.tif 000007
【図６】
2016099379.tif 000008
【図７】
2016099379.tif 000009
【図８】
2016099379.tif 000010
【図９】
2016099379.tif 000011
【図１０】
2016099379.tif 000012
【図１１】
2016099379.tif 000013
【図１２】
2016099379.tif 000014